(57)【要約】【課題】    冷たく冷やしたビール瓶は冷たく硬くまた重さもあり、摩擦のない表面は濡れていて滑り易く落とし易いもので、注ぐ時は片手では難しく、割れ物なので余計に慎重に持たなければならなかった。宴会などで、時間が経過すると中身が生ぬるくなっていることは多々あった。コップは軽いがやはり摩擦のない表面は、冷たく濡れて指先から滑り落ち易かった。茶は熱めの方が旨く、しかしその時の湯飲み茶碗は熱く持ちにくかった。【解決手段】    い草、わら、竹ひご、木ひご等の細長い自然素材を編んだり糸で綴じたりして、ガラス、陶磁器、缶製等の瓶、コップ、湯飲み茶碗類の、対象とする任意の容器の高さ以下を縦幅とし、曲げて抵抗のない向きに任意の容器の周囲に巻き付ける長さの横幅とよりなるシートと、該シートの裏面に粘着剤塗布の行われた構成である。【選択図】            図１
2005041565.tif 000002
【特許請求の範囲】
【請求項１】
い草、わら、竹ひご、木ひご等の細長い自然素材を編んだり糸で綴じたりして、ガラス、陶磁器、缶製等の瓶、コップ、湯飲み茶碗類の、対象とする任意の容器の高さ以下を縦幅とし、曲げて抵抗のない向きに任意の容器の周囲に巻き付ける長さの横幅とよりなるシートと、該シートの裏面に粘着剤塗布の行われた、カバー。
【請求項２】
い草、わら、竹ひご、木ひご等の細長い自然素材を編んだり糸で綴じたりして、ガラス、陶磁器、缶製等の瓶、コップ、湯飲み茶碗類の、対象とする任意の容器の高さ以下を縦幅とし、曲げて抵抗のない向きに任意の容器の周囲に巻き付ける長さの横幅とよりなるシートと、該シートを任意径の筒に形成させる固定部とよりなる、カバー。
【請求項３】
任意の容器底面に敷く底面具を、シート底辺の一部に連結して設け、全体を筒状に形成させる形状固定手段を設けたことを特徴とする、カバー。
【請求項４】
い草、わら、竹ひご、木ひご等の細長い自然素材を利用してなるシートを、ガラス、陶磁器、缶製等の瓶、コップ、湯飲み茶碗類の、容器の下部より包むことが出来る容器形状にした、カバー。
【発明の詳細な説明】
【発明の詳細な説明】
【技術分野】
【０００１】    冷えた飲み物を入れた瓶やコップ等の、ガラスの表面を覆う、また熱い湯飲み茶碗の陶器の表面を覆う、カバーに関するものである。
【背景技術】
【０００２】    冷えた飲み物を入れた瓶やコップ等の、ガラスの表面を覆う自然素材のカバーはない。また湯飲み茶碗用のカバーはない。
【発明が解決しようとする課題】
【０００３】    ビールは冷えていなければ旨くない。従ってビールの入った瓶は冷たく硬く心地悪くまた重さもあり、しかも摩擦のない表面は濡れていて滑り易く落とし易いもので、注ぐ時は片手では難しく、また割れ物なので余計に慎重に持たなければならなかった。宴会などで用意されるビールは、時間が経過すると中身が生ぬるくなっていることが多々あった。
コップは軽いがやはり感触は、冷たく硬く心地悪く、摩擦のない表面は濡れて指先から滑り落ち易かった。
茶は熱めが旨く、しかしその時の湯飲み茶碗は熱く持ちにくかった。
【課題を解決するための手段】
【０００４】    い草、わら、竹ひご、木ひご等の細長い自然素材を編んだり糸で綴じたりして、ガラス、陶磁器、缶製等の瓶、コップ、湯飲み茶碗類の、対象とする任意の容器の高さ以下を縦幅とし、曲げて抵抗のない向きに任意の容器の周囲に巻き付ける長さの横幅とよりなるシートと、該シートの裏面に粘着剤塗布の行われたことを特徴とする。
【発明を実施するための最良の形態】
【０００５】    以下、本発明の実施の形態を説明する。ビール瓶で、フリーサイズ用のシートタイプと、定形用の筒タイプ、容器タイプを説明し、コップで、定形用の容器タイプと、フリーサイズ用の、スリットを有するタイプ、重なり部を有する花弁タイプ、壁面分離タイプ、湯飲み茶碗で、広口タイプ、スリットを有するタイプ、花弁タイプを説明する。
先ず、ビール瓶で、図１〜図８を用いて、フリーサイズ用のシートタイプと、定形用の筒タイプ、容器タイプを説明する。
先ず図１〜図４について、図１の場合、自然素材（３）を同方向に並べて、それを糸類で綴り、ビール瓶（４）の胴部を包むことが可能な長さのシート部（２）を形成する。ビール瓶の高さ以内で、掴むことが可能な縦幅を持ち、対象の容器とのバランス、好み等を加味して決定する。横幅は曲げて抵抗のない向きに当容器の太さの最大円周程度の長さとするが、これには円周以上又は円周以内の場合がある。裏面に粘着剤（５）塗布を行うが、これを全体あるいは一部に行う。周囲に縁取り部（１）を設けた方がよく、方法として、糸で細かく縫い込む、ボンドのような接着剤を練り込む、布でカバーする、あるいは周囲に合成樹脂を付着する等を行い、端部がばらばらになるのを防ぐ。これらの方法は以下の全タイプに通じる。図２、図３については、図１と同様にシート部を形成した後、両端部の表裏を留め部（６）とし、表側に雄型面ファスナー（６ａ）、裏側に雌型面ファスナー（６ｂ）を、あるいはそれぞれの個所にその反対の型の面ファスナーを設ける。重なり合う個所はシート部の他の個所より薄めに作る方がよい。
使い方はビール瓶を持つ時、手を添える個所に当発明を巻く。粘着剤を塗布した場合で、両端が届き合わない長さのものについては、その位置で密着するように貼り付け、両端が届き合うものは、片方の表側の上にもう一方の裏側を重ねて密着するように貼り付ける。面ファスナーを設けた場合も、同様に密着させて表裏の面ファスナーを接合し固定する。ビールを注ぐ時は、前記図４のように当発明の外部からビール瓶を掴んで注ぐ。
次に図５を説明する。これは太ささが決まっているビール瓶等を対象として、筒（７）にしたものである。縦幅はビール瓶の高さ以内で、掴むことが可能な縦幅を持ち、それに瓶の大きさとのバランス、好み等を加味して決定する。横幅は曲げて抵抗のない向きに、瓶の円周の長さ程度をとる。
この使い方は、当発明をａのように瓶の細い首部（８）側から被せ、ｂのように固定する。ビールを注ぐ時は前記同様で、当発明の外部からビール瓶を掴んで注ぐ。【０００６】    図６〜図８の説明に移る。側面部（９）と底面部（１１）よりなる。ビール瓶（４）が入る容器（１０）としたものである。縦幅はビール瓶の高さ以内で、掴むことが可能な縦幅を持ち、それに対象のビール瓶とのバランス、好み等を加味して決定する。横幅は曲げて抵抗のない向きに、ビール瓶の太さの最大円周以上をとる。底面部の作り方については、図８のａのように、自然素材の線状材で放射状にビール瓶の底の広さ以上の底面部を編み、この底面部の縁より立ち上げて側面部を編む。ｂの場合は自然素材（３）を編んだ平らなシートから、底面部をビール瓶の底以上の大きさで円形に切り取る。これに前記図１と同様な作り方で縁取り部（１）を設け、この縁取り部の端部に別のシートを巻き付けて、または図５のような筒状の側面部を被せて、接触面を接着剤で接合する。又は、側面部の底面側の口部に接着剤で固定するか、糸類でつなぎ合わせる。
使い方は図６のように、当発明にビール瓶を底から差し込んで固定し、ビールを注ぐ時は前記同様で、当発明の外部からビール瓶を掴んで注ぐ。【０００７】    次に、コップで、図９〜図１２を用いて、定形用の容器タイプと、フリーサイズ用の、スリットを有するタイプ、重なり部を有する花弁タイプ、壁面分離タイプを説明する。
図９は対象とするコップ（１２）の径以上の径を有する容器（１０）とする。当コップの高さ以内で、掴むことが可能な縦幅を持ち、これにバランス、好み等を加味して高さを決定する。横幅を曲げて抵抗のない向きに、当コップの最大円周以上の長さをとる。側面部（９）については、側面部上端を波形（１３）の切り方にする等の、デザイン的に少し変形させた。
図１０〜図１２で、フリーサイズ的な機能を持たせるための方法を説明する。図１０は、前記の波形などの切り込みを底面部（１１）近くまで取り、これをスリット（１４）として設けた。この図では一本のみを底まで開けるような場合があることを示している。取って付のコップの取ってを差し込めるように、このスリットの幅を大きめに取ることもできる。図１１は、側面部を花弁状とし、一つの花弁の端部同士か、花弁と花弁の端部が重なる重なり部（１５）を設ける。これは二個所に重なり部を有する。花弁が一枚の場合は重なり部は一個所となる。花弁が複数になると、一方が他方より常に内側にある重なり方と、同じ重なり方で連続する場合があり、どちらを選ぶかは花弁の枚数や形状や大きさに拘わってくる。別の方法として、口部側を底面部より心持ち広げる方法もある。図１２はシートタイプに類似する壁面体（１６）を設けたものである。この縦幅については対象とする容器の高さ以内で、これにバランス、好み等を加味して決定する。横幅を曲げて抵抗のない向きで、かつ底面部の周囲の長さを越える長さをとる。別に図８のように底面部を設けて、この周囲の一部に壁面体を接合する方法や、底面部を作成して、その端部の一部から続けて側面部を編んで形成していくような方法等がある。壁面体と底面部との境目に切れ目（１７）を有する。
これらの使い方は容器タイプの図９の場合に類似し、コップの底部から当発明に差し込んで、当発明の外部から掴む。取って付のコップ用に作ったものは、スリットの間に取ってを填め込んで使用する。図１２についての着用の仕方は、壁面体の両端を開いてから、コップを底面部に載せその後で壁面体の両端部を重ね合わせる点が他より異なる。切れ目が一個所にある場合で、内側の容器が太めであれば切れ目のある側を外側にして重ねる。細目であれば内側に差し込む。【０００８】    次に湯飲み茶碗で、図１３〜図１６を用いて、広口の容器タイプ、スリットを有するタイプ、花弁タイプについて説明する。
広口の容器（１０）の口部は、対象とする湯飲み茶碗（１８）をそこから差し込むことが出来る広さとする。高さは当湯飲み茶碗の高さ以内で、側面を手で掴む場合用とすればその掴む個所以上、底面部に手を添える場合用とすればその添えた手に湯飲み茶碗の側面が当たらない高さ以上とし、これにバランス、好み等を加味して決定する。横幅は曲げて抵抗のない向きにとる。湯飲み茶碗の形状に添わせるものとし、上部に行くに従ってその径を大きくする。他にコップのような寸胴状のものが対象ならば同じ径で作成することになる。図１３は側面上端を波形（１３）にし、それを湯飲み茶碗に着用した正面図である。図１４は底面部（１１）と側面部（９）の繋ぎ方の例を示したもので、前記同様にａは側面部の下端と、自然素材を編んだ平らなシートから湯飲み茶碗の底以上の大きさで円形に切り取った底面部の端部を、糸や接着剤でつなぎ合わせる。ｂは底面部を自然素材の線状材で放射状に編み、側面部は対象とする湯飲み茶碗の側面の曲がり具合に添わせるように、序序に広げながら立ち上げて編んで設けた。上端の波形はデザインの意味もあるが、僅かな範囲だが多種の大きさに対応することを目的としたものである。図１５はスリット（１４）を有するタイプで、図１０に類似した設け方とする。図１６は重なり部（１５）を有する花弁タイプで、図１１に類似した設け方とする。端部がばらばらになっている場合は、前記シートタイプの図１〜図４と同様に、縁取り部を設ける。
これらの使い方は、従来のコースター的な使い方をしそれと共に、熱い湯飲み茶碗を持ち上げる時、当発明を外側から掴んで湯飲み茶碗と共に持ち上げる。掴む場合用の高さまであれば側面を掴んで、添える場合用の高さであれば底に手を添え、口に運び茶を呑む。
以上は底面部を円形とした場合の説明であったが、方形であるいはそれ以上の多角形で作成しても、対象の瓶やコップ、陶器類に側面部は自然に添うので問題はない。底面部がないシートタイプや筒タイプの場合は、そのコップの例えば側面に凹みがあるような外形に添わせた形状の当発明を作ることが出来る。
当発明でシート状、筒状、容器タイプについて、対象が容器に限らず、缶コーヒーの場合もそうだが、ドアノブのカバーや受話器の取って、その他の握って使用する棒状の物のカバーとして応用出来ること、また、日光を遮断したい薬瓶等のカバーとして応用出来ることを明記しておく。
その他、伸縮性に頼るところが大きいため、特にシートタイプに形成する際に、それに耐えられるように丈夫な糸を使用する。ゴム製の糸で繋ぐ方がよりよい場合もある。またシートで筒を成型する場合、雌雄の両留め部の間の容器表面と接触する側に、ゴムなどの摩擦力を有するものを貼り付けておいてもよい。編み方ないしは綴じ方は畳表状や、放射状、格子状等とする。
【発明の効果】
【０００９】イ  自然素材のため、持つ手に害がなくて、熱さ冷たさを感じない。
ロ  自然素材の香りからの安らぎ、色合いからの暖かさが感じられる。
ハ  空気の浄化作用がある。
ニ  日本的な趣が加わる。
ホ  ざらつきがあり滑りにくく持ちやすい。
ヘ  適度なクッション性があり、持つ手に抵抗感がない。
ト  自然素材のシートを曲げて握る持ち方からの手触り感が心地よい。
チ  他からの衝撃を和らげる。
リ  瓶が転んでも衝撃が少ない。
ヌ  水滴が外部に落ちない。
ル  保温、保冷ができる。
【図面の簡単な説明】
【図１】本発明の全体の斜視図と、その使用斜視図である。
【図２】留め部（６）の位置を示した、本発明の斜視図である。
【図３】面ファスナー（６ａ、６ｂ）の位置を示した、本発明の断面図である。
【図４】本発明の使用斜視図である。
【図５】着用状態を示す、本発明の斜視図である。
【図６】ビール瓶（４）に着用している、本発明の斜視図である。
【図７】本発明の使用斜視図である。
【図８】編み目の形状の違いを示した、底面部（１１）の平面図である。
【図９】本発明の使用斜視図である。
【図１０】スリット（１４）を設けた、本発明の使用斜視図である。
【図１１】重なり部（１５）を有する、本発明の斜視図である。
【図１２】壁面体（１６）を有する、本発明の斜視図である。
【図１３】茶飲み茶碗（１８）用とする、本発明の使用図である。
【図１４】底面部の編み目の違いを示した、本発明の平面図である。
【図１５】スリットを有する、本発明の側面図である。
【図１６】重なり部を有する、本発明の側面図である。
【符号の説明】
１    縁取り部            ２    シート部            ３    自然素材
４    ビール瓶            ５    粘着剤
６    留め部              ６ａ  雄型面ファスナー    ６ｂ  雌型面ファスナー
７    筒                  ８    首部                ９    側面部
１０    容器              １１    底面部            １２    コップ
１３    波形              １４    スリット          １５    重なり部
１６    壁面体            １７    切れ目            １８    湯飲み茶碗
【図１】
2005041565.tif 000003
【図２】
2005041565.tif 000004
【図３】
2005041565.tif 000005
【図４】
2005041565.tif 000006
【図５】
2005041565.tif 000007
【図６】
2005041565.tif 000008
【図７】
2005041565.tif 000009
【図８】
2005041565.tif 000010
【図９】
2005041565.tif 000011
【図１０】
2005041565.tif 000012
【図１１】
2005041565.tif 000013
【図１２】
2005041565.tif 000014
【図１３】
2005041565.tif 000015
【図１４】
2005041565.tif 000016
【図１５】
2005041565.tif 000017
【図１６】
2005041565.tif 000018